(57)【要約】【課題】電解水を生成し、電解水を用いて空気中に浮遊するウィルス等の除去を行う空気浄化装置に使用される塩タブレットを投入し忘れて運転した場合、再度塩タブレットを投入しようとすると、給排水の一連のプロセスをやり直さなくても運転させることができることを目的とする。【解決手段】水道水を電気分解して電解水を生成し、この電解水を用いて空気中に浮遊するウイルス等の除去を行う空気浄化装置は、貯水容器１４に水を供給するタンク部材１５と、貯水容器１４に供給された水に下端が浸漬したフィルタ１６と電極部材８で構成されている。貯水容器１４には上端から投入水路２７に延びたガイド部２３Ａが設けられ、貯水容器１４と電極部材８との間に塩タブレット２２を投入することができるようにすることで、塩タブレット２２を入れ忘れても、再度貯水容器１４にタンクを装着するプロセスなく、送風装置を運転することができることになる。【選択図】図４
2020018419.tif 000002
【特許請求の範囲】
【請求項１】
本体ケースと、
前記本体ケースの側面に設けた開口部と、
前記開口部から前記本体ケース内へ延びた装着空間部と、
前記装着空間部に着脱自在に設けた上方が開口した椀形状の貯水容器と、
前記貯水容器に水を供給するタンク部材と、
前記貯水容器の水を電気分解する電極部材と、
前記貯水容器の水に端部が浸漬するフィルタとを備え、
前記貯水容器は、
前記フィルタを装着するフィルタ装着部と、
前記タンク部材を装着するタンク装着部と、
前記タンク装着部と前記フィルタ装着部とを繋ぐ水路を有し、
前記貯水容器の着脱方向における取り外し方向側に前記タンク装着部と前記水路とを設け、
前記タンク装着部は、前記貯水容器の着脱方向に対して垂直かつ水平方向における一方側に配置され、
前記水路は、前記貯水容器の着脱方向に対して垂直かつ水平方向における他方側に配置され、
前記タンク装着部から前記貯水容器の着脱方向に対して垂直かつ水平方向における他方側に延びる第１の水路と、
前記第１の水路より前記貯水容器の着脱方向に対して垂直かつ水平方向における他方側に配置され、前記第１の水路と連通した第２の水路とを有し、
前記第２の水路は、前記貯水容器の着脱方向に延び、前記第２の水路には、前記電極部材を設け、
前記第１の水路と前記第２の水路から、前記貯水容器の着脱方向における取り外し方向側に膨らんだ水路である投入水路を有し、
前記投入水路と前記第１の水路との間には、前記貯水容器の上端から水路の底面に延びたガイド部を備え、
前記第２の水路と前記投入水路とが連通していることを特徴とする空気浄化装置。
【請求項２】
前記投入水路と前記第２の水路との間には、前記貯水容器の着脱方向に対して垂直かつ水平方向に延びた壁部を設け、
前記壁部の上端は、前記貯水容器内の水面より下方に配置されたことを特徴とする請求項１に記載の空気浄化装置。
【請求項３】
前記ガイド部と、前記壁部との間には、隙間を設けたことを特徴とする請求項２に記載の空気浄化装置。
【発明の詳細な説明】
【技術分野】
【０００１】
本発明は、貯水容器と電極部を備えた空気浄化装置に関するものである。
【背景技術】
【０００２】
従来、この種の空気浄化装置は、吸気口と吹出口を有する本体ケースと、吸気口と吹出口とを連通する風路に設けた送風部と空気浄化部とを備え、空気浄化部は、水を貯水する貯水容器と、貯水容器に水を供給するタンクと、貯水容器に供給された水に下端が浸漬したフィルタと電極を備えた空気浄化装置が知られている（特許文献１）。
【先行技術文献】
【特許文献】
【０００３】
【特許文献１】特開２０１８−０５４１６６号公報
【発明の概要】
【発明が解決しようとする課題】
【０００４】
水道水を電気分解して電解水を生成し、この電解水を用いて空気中に浮遊するウイルス等の除去を行う空気浄化装置は、貯水容器に水を供給するタンクと、貯水容器に供給された水に下端が浸漬したフィルタと電極部材を備えている。貯水容器は、タンク部材とフィルタとを繋ぐ水路を有し、水路には電極部材を設けている。電極部材直近には、塩タブレットを投入し、塩水の電気分解で得られる電解水がウイルス等に効果を発揮することが知られているが、塩タブレットの入れ忘れで電解水の発生効率が低下する場合がある。
塩タブレットを入れ忘れた場合には、貯水容器からタンクを外し、塩タブレットを貯水容器に入れ、再度貯水容器にタンクを装着するプロセスが必要となる。このように、塩タブレットを入れ忘れた場合には、プロセスをやり直さなければならないという課題がある。
【０００５】
そこで本発明は、貯水容器からタンクを外さずに、塩タブレットを投入できる空気浄化装置を提供することを目的とする。
【課題を解決するための手段】
【０００６】
そして、この目的を達成するために、本発明は、本体ケースと、前記本体ケースの側面に設けた開口部と、前記開口部から前記本体ケース内へ延びた装着空間部と、前記装着空間部に着脱自在に設けた上方が開口した椀形状の貯水容器と、前記貯水容器に水を供給するタンク部材と、前記貯水容器の水を電気分解する電極部材と、前記貯水容器の水に端部が浸漬するフィルタとを備え、前記貯水容器は、前記フィルタを装着するフィルタ装着部と、前記タンク部材を装着するタンク装着部と、前記タンク装着部と前記フィルタ装着部とを繋ぐ水路を有し、前記貯水容器の着脱方向における取り外し方向側に前記タンク装着部と前記水路とを設け、前記タンク装着部は、前記貯水容器の着脱方向に対して垂直かつ水平方向における一方側に配置され、前記水路は、前記貯水容器の着脱方向に対して垂直かつ水平方向における他方側に配置され、前記タンク装着部から前記貯水容器の着脱方向に対して垂直かつ水平方向における他方側に延びる第１の水路と、前記第１の水路より前記貯水容器の着脱方向に対して垂直かつ水平方向における他方側に配置され、前記第１の水路と連通した第２の水路とを有し、前記第２の水路は、前記貯水容器の着脱方向に延び、前記第２の水路には、前記電極部材を設け、前記第１の水路と前記第２の水路から、前記貯水容器の着脱方向における取り外し方向側に膨らんだ水路である投入水路を有し、前記投入水路と前記第１の水路との間には、前記貯水容器の上端から水路の底面に延びたガイド部を備え、前記第２の水路と前記投入水路とが連通していることを特徴としたものであり、これにより所期の目的を達成するものである。
【発明の効果】
【０００７】
本発明による送風装置に備えられる貯水容器の投入水路には、貯水容器の上端から投入水路に延びたガイド部を備えている。
【０００８】
これにより、タンク部材を取り外さなくても第１の側面を開けただけで、塩タブレットを、着脱方向における取り外し方向側の貯水容器の側面とガイド部との間に投入すると、塩タブレットは投入水路に落下できる。
【０００９】
以上の構成により、塩タブレットを入れ忘れ、再度貯水容器にタンクを装着するプロセスなく、送風装置を運転するという効果を得ることができる。
【図面の簡単な説明】
【００１０】
【図１】本発明の実施の形態１の空気浄化装置を示す斜視図
【図２】同空気浄化装置を示す斜視図
【図３】同空気浄化装置を示す断面図
【図４】同空気浄化装置の貯水容器を示す平面図
【図５】同空気浄化装置の貯水容器を示す平面図
【図６】同空気浄化装置の貯水容器を示す斜視図
【発明を実施するための形態】
【００１１】
以下、本発明の実施の形態について図面を参照しながら説明する。
【００１２】
（実施の形態１）
図１は、本発明の実施の形態１の空気浄化装置の斜視図であり、空気浄化装置を前面側から見た図である。図２は、本発明の実施の形態１の空気浄化装置の斜視図であり、パネルを開いて空気浄化装置を前面側から見た図である。
【００１３】
図３は、本発明の実施の形態１の空気浄化装置の断面図であり、空気浄化装置を右側から見た図である。
【００１４】
図１、２に示すように、本実施形態の空気浄化装置は、略箱形状の本体ケース１を備え、本体ケース１の両側面には略四角形状の吸気口２を有している。本体ケース１は、床等の水平面に置かれる。本体ケース１の一方側の側面である第１の本体側面１Ａには、縦長四角形状の開口部５を備えている。本実施の形態では、第１の本体側面１Ａは、本体ケース１の前面側から見て、右側の側面である。本体ケース１の開口部５には開閉可能なパネル３を備え、パネル３を開くと開口部５からタンク部材１５、貯水容器１４、塩タブレット容器１８を取り出すことが出来る。塩タブレット容器１８は、開口部５から開口部５を有した側面に垂直方向から直行する方向に着脱自在である。
本体ケース１の一方側の側面の吸気口２は、パネル３に設けられている。本体ケース１の天面には、吹出口４を備えている。
【００１５】
図３に示すように、本体ケース１内には、送風機６、加湿部７を備えている。
【００１６】
送風機６は、本体ケース１の中央部に設けられ、モータ部９と、モータ部９により回転するファン部１０と、それらを囲むケーシング部１１とを備えている。ファン部１０は、シロッコファンで、モータ部９から水平方向に延びたモータ軸（図示しない）に固定され、モータ部９は、ケーシング部１１に固定されている。ケーシング部１１は、上方に吐出口１２を備え、本体ケース１における背面側に吸込口１３を有している。吐出口１２は、本体ケース１の吹出口４に向けられている。
【００１７】
送風機６を運転すると、加湿部７、送風機６を経由して吹出口４から加湿された空気を吹き出す。
【００１８】
水を貯水する貯水容器１４は、貯水容器１４に水を供給するタンク部材１５と、貯水容器１４内の水に一部が浸漬するフィルタ１６を装着するようになっている。フィルタ１６は、水を保有する繊維材を円筒状に編んで形成されたものである。そして、この円筒状のフィルタ１６は、中心部を保持部材（図示しない）で支持されて円筒形状を保持している。保持部材は、中心部に回転軸を備え、回転軸を中心に略円柱形状となっている。また、貯水容器１４とフィルタ１６は、送風機６より下方に配置されている。
【００１９】
貯水容器１４は、天面を開口した箱形状をしており、水を貯水できる構造となっている。また、貯水容器１４は、本体ケース１の下部に配置され、本体ケース１から水平方向にスライドして着脱可能となっている。詳しくは、貯水容器１４は、開口部５から第１の本体側面１Ａと直交する方向に引き出し、挿入することが可能となっている。
【００２０】
タンク部材１５は、本体ケース１内部の一方側の側面に設置され、パネル３を開いた状態で、貯水容器１４から着脱可能な構造となっている。
【００２１】
フィルタ１６は、貯水容器１４に貯水された水と、送風機６によって本体ケース１内に吸込まれた室内空気とを接触させる部材である。フィルタ１６は、円筒状に構成され、円周部分に空気が流通可能な孔（図示しない）を備え、その一端が貯水容器１４の水に浸漬するように、フィルタ１６の中心軸を回転中心として貯水容器１４に回転自在に内蔵されている。そして、駆動部（図示しない）による回転され、水と室内空気を連続的に接触させる構造となっている。
【００２２】
フィルタ１６は、貯水容器１４を本体ケース１から取り出した状態で、貯水容器１４から着脱できるようになっている。
【００２３】
詳しくは後述するが、電極部材８は、貯水容器１４内の水に浸かるように設置され、電極部材８に通電することにより貯水容器１４内の塩化物イオンを含む水（本実施の形態では水道水に塩化ナトリウムを溶解させた水）を電気化学的に電気分解することにより、電解水を生成させる。電極部材８は、移動保持部材（図示しない）によって、上下方向へ移動自在に保持されている。
【００２４】
本体ケース１内には、吸気口２と吹出口４とを連通する風路１７を備えている。この風路１７には、吸気口２から順に、貯水容器１４、フィルタ１６、送風機６、吹出口４が配置されている。モータ部９によってファン部１０が回転すると、吸気口２から風路１７内に入った外部の空気は、順に、フィルタ１６、送風機６、吹出口４を介して、吹き出される。
【００２５】
図４、５は、本発明の実施の形態１の空気浄化装置の貯水容器１４の平面図である。図６は、本発明の実施の形態１の空気浄化装置の貯水容器１４の斜視図である。
【００２６】
図４、５、６に示すように、貯水容器１４は、上方が開口した略横長四角形の椀形状であり、フィルタ装着部２０と、タンク装着部１９と、水路２６と、仕切板部２１、ガイド部２３Ａとを備えている。貯水容器１４の長手方向が、貯水容器１４の着脱方向である。
【００２７】
フィルタ装着部２０は、フィルタ１６を装着する区画である。フィルタ装着部２０は、貯水容器１４の着脱方向における取り付け方向側に配置されている。
【００２８】
タンク装着部１９は、タンク部材１５を装着する区画である。タンク装着部１９は、貯水容器１４の着脱方向における取り外し方向側に配置されている。タンク装着部１９は、貯水容器１４の着脱方向に対して垂直かつ水平方向における一方側（図２では右側）に配置されている。タンク装着部１９は、貯水容器１４の長手方向にフィルタ装着部２０と並んで設けられている。
【００２９】
水路２６は、タンク装着部１９とフィルタ装着部２０とを繋ぐ区画である。水路２６は、貯水容器１４の着脱方向における取り外し方向側に配置されている。水路２６は、貯水容器１４の着脱方向に対して垂直かつ水平方向における他方側（図４では左側）に配置されている。水路２６は、貯水容器１４の長手方向にフィルタ装着部２０と並んで設けられている。
【００３０】
タンク装着部１９と水路２６とは、貯水容器１４の短手方向に並んで設けられている。
【００３１】
仕切板部２１は、貯水容器１４における一方の長辺側から他方の長辺側へ延びると共に上下方向に壁状に形成された板である。すなわち、仕切板部２１は、貯水容器１４の水平面を短辺と略平行に仕切っていることになる。仕切板部２１は、貯水容器１４のタンク装着部１９および水路２６と、貯水容器１４のフィルタ装着部２０との境目である。仕切板部２１は、平板形状であり、貯水容器１４における短手方向の側面と平行に配置され、下端には、フィルタ装着部２０と水路２６とを連通する切り欠き部（図示せず）を有している。切り欠き部は、四角形状の開口である。
【００３２】
水路２６は、第１の水路２６Ａと、第２の水路２６Ｂと、第３の水路２６Ｃと、投入水路２７とを有している。
【００３３】
第１の水路２６Ａは、タンク装着部１９から貯水容器１４の着脱方向に対して垂直かつ水平方向における他方側（図４では左側）に延びる水路である。タンク装着部１９装着されたタンク部材１５から供給された水が、第１の水路２６Ａに流れ込む。
【００３４】
第２の水路２６Ｂは、第１の水路２６Ａより貯水容器１４の着脱方向に対して垂直かつ水平方向における他方側（図４では左側）に配置され、第１の水路２６Ａと連通した水路である。第２の水路２６Ｂは、貯水容器１４の着脱方向に延び、第２の水路２６Ｂには、電極部材８が配置されている。タンク部材１５から第１の水路２６Ａに供給された水が、第２の水路２６Ｂに流れ込む。
【００３５】
第３の水路２６Ｃは、第２の水路２６Ｂより貯水容器１４の着脱方向に対して垂直かつ水平方向における一方側（図４では右側）に配置され、第２の水路２６Ｂと、仕切板部２１の切り欠き部とを連通する水路である。第２の水路２６Ｂに流れ込んだ水は、仕切板部２１の切り欠き部を介して、フィルタ装着部２０へ流れ込む。
【００３６】
投入水路２７は、第１の水路２６Ａおよび第２の水路２６Ｂから、貯水容器１４の着脱方向における取り外し方向側に膨らんだ水路である。投入水路２７と第１の水路２６Ａとの間には、貯水容器１４の上端から水路２６の底に延びたガイド部２３Ａを備えている。
【００３７】
ガイド部２３Ａは、水路２６の底における第１の水路２６Ａと投入水路２７との境目から上方に延びた板形状である。ガイド部２３Ａの上端は、貯水容器１４内の水面より上方に配置され、ガイド部２３Ａは、上方から見るとＬ字形状であり、第１の水路２６Ａを流れる水の一部は、ガイド部２３Ａに沿って流れ、第２の水路２６Ｂに流れ込む。本体ケース１の開口部５のパネル３を開くと、ガイド部２３Ａが見える。
【００３８】
これにより、タンク部材１５を取り外さなくても第１の側面１Ａを開けただけで、塩タブレット２２を、着脱方向における取り外し方向側の貯水容器１４の側面とガイド部２３Ａとの間に投入すると、塩タブレット２２は投入水路２７に落下し、運転に支障なくできることになる。
【００３９】
しかし、塩タブレット２２を着脱方向における取り外し方向側の貯水容器１４の側面とガイド部２３Ａとの間、投入水路２７内に投入すると、塩タブレット２２が転がって、投入水路２７から電極部材８内部に入り込むことがある。入り込んだ塩タブレット２２は、電極部材８内部の複数の電極板（図示しない）間に挟まり、電気分解で生成された電解水の供給を阻害するだけでなく、複数の電極板（図示しない）間で短絡されてしまい、運転エラーを起こしてしまう要因になる。
【００４０】
そこで、塩タブレット２２を投入水路２７内に、塩タブレット２２を投入したとき、電極部材８内部に入り込まないよう、投入水路２７と第２の水路２６Ｂとの間には、貯水容器１４の着脱方向に対して垂直かつ水平方向に延びた壁部２３Ｂを設けている。
【００４１】
壁部２３Ｂは、板形状であり、貯水容器１４の底部２４に、側面１４Ａに平行に、且つ底部２４から垂直方向に設けた。壁部２３Ｂの上端は、貯水容器１４内の水面より下方に配置されている。壁部２３Ｂの上端は、塩タブレット２２の高さより高い位置に配置されている。なお、壁部２３Ｂは、ガイド部２３Ａの一部と一直線上に配置されている。
【００４２】
また、ガイド部２３Ａと、壁部２３Ｂとの間には、隙間２５を設けた。この隙間２５を介して、投入水路２７と第２の水路２６Ｂとが連通する。電極部材８における貯水容器１４の着脱方向に対して垂直かつ水平方向における一方側の側面１４Ａと、隙間２５とは同一線上に配置されている。これにより、投入される塩タブレット２２は、ガイド部２３Ａに沿って垂直下方向且つ投入水路２７に確実に落下し、貯水容器１４の水位に水没する。
【産業上の利用可能性】
【００４３】
本発明にかかる空気浄化装置は、家庭用や事務所用などに使用される加湿装置等として有用である。
【符号の説明】
【００４４】
１    本体ケース
１Ａ    第１の本体側面
２    吸気口
３    パネル
４    吹出口
５    開口部
６    送風機
７    加湿部
８    電極部材
９    モータ部
１０    ファン部
１１    ケーシング部
１２    吐出口
１３    吸込口
１４    貯水容器
１４Ａ    側面
１５    タンク部材
１６    フィルタ
１７    風路
１８    塩タブレット容器
１９    タンク装着部
２０    フィルタ装着部
２１    仕切板部
２２    塩タブレット
２３Ａ    ガイド部
２３Ｂ    壁部
２４    底部
２５    隙間
２６    水路
２６Ａ    第１の水路
２６Ｂ    第２の水路
２６Ｃ    第３の水路
２７    投入水路
【図１】
2020018419.tif 000003
【図２】
2020018419.tif 000004
【図３】
2020018419.tif 000005
【図４】
2020018419.tif 000006
【図５】
2020018419.tif 000007
【図６】
2020018419.tif 000008